【手続補正書】
【提出日】平成19年3月29日(2007.3.29)
【手続補正１】
【補正対象書類名】明細書
【補正対象項目名】特許請求の範囲
【補正方法】変更
【補正の内容】
【特許請求の範囲】
【請求項１】  下記を具備する、相対的に移動する第１及び第２の対象物の間で送信された信号の往復遅延を決定するための方法：
前記第１の対象物から前記第２の対象物へ第１の信号を送信する；
前記第１の信号を伝播遅延Ｄ1 の後に前記第２の対象物において受信する、前記遅延Ｄ1 は前記第１の信号が前記第１の対象物から前記第２の対象物へ伝搬するために必要とされる時間である；
前記第２の対象物において、前記第１の信号に関連した第１の周波数を測定する；
前記第２の対象物から前記第１の対象物へ、該測定された第１の周波数の報告を含む第２の信号を送信する；
前記第２の信号を伝播遅延Ｄ2 の後に前記第１の対象物において受信する、Ｄ2 は前記第２の信号が前記第２の対象物から前記第１の対象物へ伝搬するために必要とされる時間である；
該第１の信号の該送信と該第２の信号の該受信との間の経過時間を測定する；
前記第１の対象物おいて、前記第２の信号に関連した第２の周波数を測定する；及び
前記第１の対象物において前記往復遅延を決定する、前記往復遅延は（ｉ）該測定された第１及び第２の周波数、ならびに（ｉｉ）該測定された経過時間に基づいている。
【請求項２】  前記第１の対象物は無線電話システム軌道周回衛星であり、そして前記第２の対象物は無線電話システムユーザ端末（ＵＴ）である、請求項１の方法。
【請求項３】  前記第１の対象物は無線電話システムゲートウェイであり、そして前記第２の対象物は無線電話システムユーザ端末（ＵＴ）である、請求項１の方法。
【請求項４】  前記第１の周波数は（ｆD −ｆoffset）である、ここでｆD は前記第１の対象物と前記第２の対象物との間で送信された該第１の信号の該ドップラー周波数であり、そしてｆoffsetは該第２の対象物の局部発振器エラー周波数である、請求項１の方法。
【請求項５】  前記第２の周波数は（ｆD ＋ｆoffset）であり、ここでｆD は前記第２の対象物と前記第１の対象物との間で送信された該第２の信号の該ドップラー周波数であり、そしてｆoffsetは該第２の対象物の局部発振器エラー周波数である、請求項１の方法。
【請求項６】  前記第２の対象物における該送信は、前記第１の信号の所定の受信時間内に発生する、請求項１の方法。
【請求項７】  下記工程を具備する、相対的に移動する第１及び第２の対象物の間で送信された信号の往復遅延を決定するための方法：
前記第１の対象物から第１の信号を送信する；
前記第１の信号を伝播遅延Ｄ1 の後に前記第２の対象物において受信する；
前記第１の信号の受信時に前記第２の対象物から前記第１の対象物へ第２の信号を送信する；
前記第２の信号を伝播遅延Ｄ2 の後に前記第１の対象物で受信する；
前記第１の対象物において、前記第２の信号から周波数を測定する；及び
前記第１の対象物において、前記周波数から前記往復遅延を決定する、前記往復遅延は前記第１の対象物から前記第２の対象物への伝搬の間に前記第１の信号によって経験された遅延の関数である。
【請求項８】  前記測定された周波数は（ｆD ＋ｆoffset）であり、ここでｆD は該第２の信号の該ドップラー周波数であり、そしてｆoffsetは該第２の対象物の局部発振器エラー周波数である、請求項７による方法。
【請求項９】  前記第１の対象物は無線電話システム軌道周回衛星であり、そして前記第２の対象物は無線電話システムユーザ端末（ＵＴ）である、請求項７の方法。
【請求項１０】  前記第１の対象物は無線電話システムゲートウェイであり、そして前記第２の対象物は無線電話システムユーザ端末（ＵＴ）である、請求項７の方法。
【請求項１１】  下記工程を具備する、相対的に移動する第１及び第２の対象物の間で送信された信号の往復遅延を決定するための方法：
前記第１の対象物から第１の信号を送信する；
前記第１の信号を伝播遅延Ｄ1 の後に前記第２の対象物において受信する；
前記第２の対象物において、前記第１の信号から周波数を測定する；
前記第２の対象物から前記第１の対象物へ、該測定された第１の信号周波数の報告を含む第２の信号を送信する；
前記第１の対象物において、前記第２の信号を伝播遅延Ｄ2 の後に受信する、及び
前記第１の対象物において、前記第１の信号周波数から前記往復遅延を決定する、前記往復遅延は前記第２の対象物から前記第１の対象物への前記第２の信号の伝播の間に経験された該遅延の関数である。
【請求項１２】  前記周波数は（ｆD −ｆoffset）であり、ここでｆD は該第１の信号の該ドップラー周波数であり、そしてｆoffsetは該第２の対象物の局部発振器エラー周波数である、請求項１１の方法。
【請求項１３】  前記第１の対象物は無線電話システム軌道周回衛星であり、そして前記第２の対象物は無線電話システムユーザ端末（ＵＴ）である、請求項１１の方法。
【請求項１４】  前記第１の対象物は無線電話システムゲートウェイであり、そして前記第２の対象物は無線電話システムユーザ端末（ＵＴ）である、請求項１１の方法。
【請求項１５】  下記を具備する、相対的に移動する第１及び第２の対象物の間で送信された信号の往復遅延を決定するためのシステム：
前記第１の対象物から第１の信号を送信するための手段；
前記第１の信号を伝播遅延Ｄ1 の後に前記第２の対象物において受信するための手段、前記遅延Ｄ1 は前記第１の信号が前記第１の対象物から前記第２の対象物へと伝搬するために必要とされる時間である；
前記第２の対象物において、前記第１の信号に関連した第１の周波数を測定するための手段；
前記第２の対象物から前記第１の対象物へ、該測定された第１の周波数の報告を含む第２の信号を送信するための手段；
前記第２の信号を伝播遅延Ｄ2 の後に前記第１の対象物において受信するための手段、Ｄ2 は前記第２の対象物から前記第１の対象物へ前記第２の信号が伝搬するために必要とされる時間である；
該第１の信号の該送信と該第２の信号の該受信との間の経過時間を測定するための手段；
前記第１の対象物において、前記第２の信号から第２の周波数を測定するための手段；及び
前記第１の対象物において前記往復遅延を決定するための手段、前記往復遅延は（ｉ）該測定された第１及び第２の周波数、ならびに（ｉｉ）該測定された経過時間に基づいている。
【請求項１６】  前記第１の周波数は（ｆD −ｆoffset）であり、ここでｆD は該第１の信号の該ドップラー周波数であり、そしてｆoffsetは該第２の対象物の局部発振器エラー周波数である、請求項１５によるシステム。
【請求項１７】  前記第２の周波数は（ｆD ＋ｆoffset）であり、ここでｆD は該ドップラー周波数であり、そしてｆoffsetは該第２の対象物の局部発振器エラー周波数である、請求項１６によるシステム。
【請求項１８】  前記第１の対象物は無線電話システム軌道周回衛星であり、そして前記第２の対象物は無線電話システムユーザ端末（ＵＴ）である、請求項１５によるシステム。
【請求項１９】  前記第１の対象物は無線電話システムゲートウェイであり、そして前記第２の対象物は無線電話システムユーザ端末（ＵＴ）である、請求項１５によるシステム。
【請求項２０】  下記を具備する、相対的に移動する第１及び第２の対象物の間で送信された信号の往復遅延を決定するためのシステム：
前記第１の対象物から第１の信号を送信するための手段；
前記第１の信号を伝播遅延の後に前記第２の対象物において受信するための手段；
前記第２の対象物において、前記第１の信号に関連した第１の周波数を測定するための手段；
前記第２の対象物から前記第１の対象物へ、該測定された第１の周波数の報告を含む第２の信号を送信するための手段；
前記第２の信号をＤ2 の伝播遅延の後に前記第１の対象物において受信するための手段；
該第１の信号の該送信と該第２の信号の該受信との間の経過時間を測定するための手段；
前記第１の対象物で、前記第２の信号に関連した第２の周波数を測定するための手段；及び
前記第１の対象物で前記往復遅延を決定するための手段、前記往復遅延は（ｉ）該測定された第１及び第２の周波数、ならびに（ｉｉ）該測定された経過時間に基づいている。
【請求項２１】  前記第１の周波数は（ｆD −ｆoffset）であり、ここでｆD は前記第１の信号の該ドップラー周波数であり、そしてｆoffsetは該第２の対象物の局部発振器エラー周波数である、請求項２０によるシステム。
【請求項２２】  前記第２の周波数は（ｆD ＋ｆoffset）であり、ここでｆD は前記第２の信号の該ドップラー周波数であり、そしてｆoffsetは該第２の対象物の局部発振器エラー周波数である、請求項２１によるシステム。
【請求項２３】  前記第１の対象物は無線電話システム軌道周回衛星であり、そして前記第２の対象物は無線電話システムユーザ端末（ＵＴ）である、請求項２０によるシステム。
【請求項２４】  前記第１の対象物は無線電話システムゲートウェイであり、そして前記第２の対象物は無線電話システムユーザ端末（ＵＴ）である、請求項２０によるシステム。
【請求項２５】  下記を具備する、相対的に移動する第１及び第２の対象物の間で送信された信号の往復遅延を決定するためのシステム：
前記第１の対象物から第１の信号を送信するための手段；
前記第１の信号を伝播遅延Ｄ1 の後に前記第２の対象物において受信するための手段；
前記第２の対象物が前記第１の信号を受信すると前記第２の対象物から前記第１の対象物へ第２の信号を送信するための手段；
前記第２の信号を伝播遅延Ｄ2 の後に前記第１の対象物において受信するための手段；
前記第１の対象物において、前記第２の信号から周波数を測定するための手段；及び
前記第１の対象物において、前記周波数から前記往復遅延を決定するための手段、前記往復遅延は前記第１の対象物から前記第２の対象物への前記第１の信号の伝播の間に経験された該遅延の関数である。
【請求項２６】  前記周波数は（ｆD ＋ｆoffset）であり、ここでｆD は前記第２の信号の該ドップラー周波数であり、そしてｆoffsetは該第２の対象物の局部発振器エラー周波数である、請求項２５によるシステム。
【請求項２７】  前記第１の対象物は無線電話システム軌道周回衛星であり、そして前記第２の対象物は無線電話システムユーザ端末（ＵＴ）である、請求項２５によるシステム。
【請求項２８】  前記第１の対象物は無線電話システムゲートウェイであり、そして前記第２の対象物は無線電話システムユーザ端末（ＵＴ）である、請求項２５によるシステム。
【請求項２９】  下記を具備する、相対的に移動する第１及び第２の対象物の間で送信された信号の往復遅延を決定するためのシステム：
前記第１の対象物から第１の信号を送信するための手段；
前記第１の信号を伝播遅延Ｄ1 の後に前記第２の対象物で受信するための手段；
前記第２の対象物で、前記第１の信号から周波数を測定するための手段；
前記第２の対象物から前記第１の対象物へ、該測定された第１の信号周波数の報告を含む第２の信号を送信するための手段；
前記第１の対象物で、前記第２の信号を伝播遅延Ｄ2 の後に受信するための手段；及び
前記第１の対象物で、前記測定された第１の信号周波数から前記往復遅延を決定するための手段、前記往復遅延は前記第２の対象物から前記第１の対象物への前記第２の信号の伝播の間に経験された該遅延の関数である。
【請求項３０】  前記周波数は（ｆD −ｆoffset）であり、ここでｆD は該ドップラー周波数であり、そしてｆoffsetは該第２の対象物の局部発振器エラー周波数である、請求項２９によるシステム。
【請求項３１】  前記第１の対象物は無線電話システム軌道周回衛星であり、そして前記第２の対象物は無線電話システムユーザ端末（第２の対象物）である、請求項２９によるシステム。
【請求項３２】  前記第１の対象物は無線電話システムゲートウェイであり、そして前記第２の対象物は無線電話システムユーザ端末（ＵＴ）である、請求項２９によるシステム。
【請求項３３】  下記を具備する、相対的に移動する第１及び第２の対象物の間で送信された信号の往復遅延を決定するための方法：
前記第１の対象物から第１の信号を送信する；
前記第１の信号を伝播遅延Ｄ1 の後に前記第２の対象物において受信する；
前記第１の信号を受信すると前記第２の対象物から前記第１の対象物へ第２の信号を送信する；
前記第２の信号を伝播遅延Ｄ2 の後に前記第１の対象物において受信する；
該第１の信号の該送信と該第２の信号の該受信との間の経過時間を測定する；
前記第１の対象物おいて前記第２の信号に関連した周波数を測定する；及び
前記第１の対象物において前記往復遅延を決定する、前記往復遅延は（ｉ）該測定された周波数、及び（ｉｉ）該測定された経過時間に基づいている。
【請求項３４】  下記を具備する、相対的に移動する第１及び第２の対象物の間で送信された信号の往復遅延を決定するための方法：
前記第１の対象物から第１の信号を送信する；
前記第１の信号を伝播遅延Ｄ1 の後に前記第２の対象物において受信する；
前記第２の対象物において、前記第１の信号に関連した周波数を測定する；
前記第２の対象物から前記第１の対象物へ、該測定された第１の信号周波数の報告を含む第２の信号を送信する；
前記第２の信号を伝播遅延Ｄ2 の後に前記第１の対象物において受信する；
該第１の信号の該送信と該第２の信号の該受信との間の経過時間を測定する；及び
前記第１の対象物において前記往復遅延を決定する、前記往復遅延は（ｉ）該測定された第１の信号周波数、及び（ｉｉ）該測定された経過時間に基づいている。
【請求項３５】  下記を具備する、相対的に移動する第１及び第２の対象物の間で送信された信号の往復遅延を決定するためのシステム：
前記第１の対象物から第１の信号を送信するための手段；
前記第１の信号を伝播遅延Ｄ1 の後に前記第２の対象物において受信するための手段；
前記第２の対象物が前記第１の信号を受信すると前記第２の対象物から前記第１の対象物へ第２の信号を送信するための手段；
前記第２の信号を伝播遅延Ｄ2 の後に前記第１の対象物において受信するための手段；
前記第１の対象物おいて前記第２の信号に関連した周波数を測定するための手段；
該第１の信号の該送信と該第２の信号の該受信との間の経過時間を測定するための手段；及び
前記第１の対象物において前記往復遅延を決定するための手段、前記往復遅延は（ｉ）該測定された周波数、及び（ｉｉ）該測定された経過時間に基づいている。
【請求項３６】  下記を具備する、相対的に移動する第１及び第２の対象物の間で送信された信号の往復遅延を決定するためのシステム：
前記第１の対象物から第１の信号を送信するための手段；
前記第１の信号を伝播遅延Ｄ1 の後に前記第２の対象物において受信するための手段；
前記第２の対象物において、前記第１の信号に関連した周波数を測定するための手段；
前記第２の対象物から前記第１の対象物へ、該測定された第１の信号周波数の報告を含む第２の信号を送信するための手段；
前記第２の信号を伝播遅延Ｄ2 の後に前記第１の対象物において受信するための手段；
該第１の信号の該送信と該第２の信号の該受信との間の経過時間を測定するための手段；及び
前記第１の対象物において前記往復遅延を決定するための手段、前記往復遅延は（ｉ）該測定された第１の信号周波数、及び（ｉｉ）該測定された経過時間に基づいている。